(57)【要約】【課題】生体情報測定の習慣化と、健康状態改善の促進を可能にする技術を提供する。【解決手段】本実施形態の健康管理装置は、取得部と、判定部と、算出部と、を備える。上記取得部は、被測定者の生体情報を取得する。上記判定部は、上記取得された生体情報が、上記生体情報に関して設定された目標値を所定期間内に達成したか否かを判定する。上記算出部は、上記判定部による判定結果に基づいて、上記被測定者のインセンティブ値を算出する。【選択図】図１
2019003571.tif 000002
【特許請求の範囲】
【請求項１】
被測定者の生体情報を取得する取得部と、
前記取得された生体情報が、前記生体情報に関して設定された目標値を所定期間内に達成したか否かを判定する判定部と、
前記判定部による判定結果に基づいて、前記被測定者のインセンティブ値を算出する算出部と、
を備える、健康管理装置。
【請求項２】
前記判定部は、前記取得された生体情報が有効であるか否かを更に判定し、
前記算出部は、前記判定部によって有効であると判定された生体情報の数に更に基づいて、前記被測定者のインセンティブ値を算出する、
請求項１記載の健康管理装置。
【請求項３】
前記取得部は、前記被測定者の健康状態を表す健康情報を更に取得し、
前記判定部は、前記取得された生体情報が前記取得された健康情報に基づく所定条件を満たすか否かを更に判定し、
前記算出部は、前記判定部によって前記所定条件を満たすと判定された生体情報の数に更に基づいて、前記被測定者のインセンティブ値を算出する、
請求項１記載の健康管理装置。
【請求項４】
前記目標値は、前記所定期間内の時点に対応して設定された少なくとも１つの中間目標値を含み、
前記判定部は、前記取得された生体情報が、前記時点において前記中間目標値を達成したか否かを更に判定する、
請求項１記載の健康管理装置。
【請求項５】
前記生体情報は、血圧値及び体重のうちの少なくとも１つを含む、請求項１記載の健康管理装置。
【請求項６】
前記算出されたインセンティブ値に基づいて、前記被測定者に対するポイントの付与及びクーポンの発行の少なくとも一方を行う発行部を更に備える、請求項１記載の健康管理装置。
【請求項７】
被測定者の健康状態を管理する装置が実行する健康管理方法であって、
前記被測定者の生体情報を取得する過程と、
前記取得された生体情報が、前記生体情報に関して設定された目標値を所定期間内に達成したか否かを判定する過程と、
前記判定された結果に基づいて、前記被測定者のインセンティブ値を算出する過程と、
を備える、健康管理方法。
【請求項８】
請求項１乃至６のいずれか１項に記載の健康管理装置が備える各部としてプロセッサを機能させるための、健康管理プログラム。
【発明の詳細な説明】
【技術分野】
【０００１】
本発明は、健康管理装置、健康管理方法、及び健康管理プログラムに関する。
【背景技術】
【０００２】
健康機器を用いて、被測定者が健康維持を促進させるための種々の取組みが提案されている。
【０００３】
特許文献１では、健康ポイントバンクシステムが提案されている。特許文献１における健康ポイントバンクシステムでは、歩数計等の健康機器を被測定者が使用した場合、健康機器は、その測定結果として得られた生体情報を所定の形式によりポイントに変換し、サーバに送信する。サーバは、送信されたポイントを使用者毎に格納する。被測定者は、サーバに格納されたポイントに基づいて、商品及びサービスの提供を受ける。上記健康ポイントバンクシステムによれば、健康機器を用いた健康維持に有効な行動を継続させることが可能となる。
【先行技術文献】
【特許文献】
【０００４】
【特許文献１】特開２００３−１４１２６０号公報
【発明の概要】
【発明が解決しようとする課題】
【０００５】
特許文献１に記載された健康ポイントバンクシステムのように、健康機器によって測定された生体情報をポイントに変換することで、健康機器を使用する動機付けが増進され、被測定者の健康管理の向上を図ることができる。
【０００６】
しかしながら、健康機器の使用が習慣化していない被測定者にとって、健康機器を使用して生体情報を測定し続けることは容易ではない。また、生体情報がポイントに変換されることは、被測定者にとって、ポイントを獲得する動機付けとはなり得るものの、自発的に健康状態を改善しようとする動機付けにはならない可能性がある。
【０００７】
本発明は、一側面では、このような実状を鑑みてなされたものであり、その目的は、被測定者による生体情報の測定を習慣化させつつ、健康状態の改善を促進させることを可能にする技術を提供することである。
【課題を解決するための手段】
【０００８】
本発明は、上述した課題を解決するために、以下の構成を採用する。
【０００９】
すなわち、本発明の一側面に係る健康管理装置は、被測定者の生体情報を取得する取得部と、前記取得された生体情報が、前記生体情報に関して設定された目標値を所定期間内に達成したか否かを判定する判定部と、前記判定部による判定結果に基づいて、前記被測定者のインセンティブ値を算出する算出部と、を備える。
【００１０】
上記構成では、被測定者は、測定した生体情報を単に提供するだけでなく、目標値を達成することによって、より多くのインセンティブを得ることができる。このため、被測定者は、より多くのインセンティブを得るために、目標値の達成を目指すようになり、ひいては、主体的に健康管理を行うようになる。したがって、被測定者による生体情報の測定を習慣化させつつ、健康状態の改善を促進させることができる。
【００１１】
上記一側面に係る健康管理装置において、前記判定部は、前記取得された生体情報が有効であるか否かを更に判定し、前記算出部は、前記判定部によって有効であると判定された生体情報の数に更に基づいて、前記被測定者のインセンティブ値を算出してもよい。当該構成によれば、被測定者は、所定期間内に目標値に達したか否かに応じてインセンティブが得られるだけでなく、目標値に達するまでの過程においてより多くの生体情報を提供することによって、より多くのインセンティブを得ることができる。これにより、被測定者が生体情報を継続的に測定する動機付けを与えることができる。
【００１２】
上記一側面に係る健康管理装置において、前記取得部は、前記被測定者の健康状態を表す健康情報を更に取得し、前記判定部は、前記取得された生体情報が前記取得された健康情報に基づく所定条件を満たすか否かを更に判定し、前記算出部は、前記判定部によって前記所定条件を満たすと判定された生体情報の数に更に基づいて、前記被測定者のインセンティブ値を算出してもよい。当該構成によれば、被測定者は、生体情報のうち特に重要と思われるものを提供することによって、より多くのインセンティブを得ることができる。例えば、被測定者が職場高血圧の症状を有する場合、勤務中に取得された血圧値は高血圧となり得るため、被測定者から取得される生体情報の中でも特に重要な生体情報となり得る。算出部は、職場高血圧の症状を有する被測定者に対しては、勤務中に取得された血圧値に対してより多くのインセンティブ値を算出する。これにより、被測定者は、より多くのインセンティブを得るために、勤務中の血圧値を定期的に測定するようになり、ひいては、主体的に健康管理を行うことようになる。したがって、被測定者にとって特に重要な生体情報の測定を習慣化させつつ、健康状態の改善をより効果的に促進させることができる。
【００１３】
上記一側面に係る健康管理装置において、前記目標値は、前記所定期間内の時点に対応して設定された少なくとも１つの中間目標値を含み、前記判定部は、前記取得された生体情報が、前記時点において前記中間目標値を達成したか否かを更に判定してもよい。当該構成によれば、被測定者は、所定期間内に目標値に達したか否かのみに応じてインセンティブが得られるだけでなく、目標値に達するまでの過程において中間目標値を達成することによって、より多くのインセンティブを得ることができる。これにより、被測定者が日々の生体情報の測定することを習慣化させつつ、より健康状態の改善を促進させることができる。
【００１４】
上記一側面に係る健康管理装置において、前記生体情報は、血圧値及び体重のうちの少なくとも１つを含んでもよい。当該構成によれば、被測定者の血圧値及び体重を健康管理の対象とすることができる。これにより、被測定者は、血圧値及び体重の測定を習慣化することができる。また、被測定者に対して、血圧値及び体重を目標値に近付けるような動機付けを与えることができる。
【００１５】
上記一側面に係る健康管理装置において、前記算出されたインセンティブ値に基づいて、前記被測定者に対するポイントの付与及びクーポンの発行の少なくとも一方を行う発行部を更に備えてもよい。当該構成によれば、被測定者は、健康管理装置からインセンティブ値に応じてポイント又はクーポンの発行されることができる。これにより、被測定者は、目標値の達成に応じた報酬として具体的な実益を得ることができる。このため、目標値の達成のための動機付けを強めることができる。
【発明の効果】
【００１６】
本発明によれば、生体情報測定の習慣化と、健康状態改善の促進を可能にする技術を提供することができる。
【図面の簡単な説明】
【００１７】
【図１】図１は、適用例に係る健康管理装置を含む健康管理システムの構成を例示するブロック図。
【図２】図２は、本実施形態に係る生体情報測定装置のハードウェア構成を例示するブロック図。
【図３】図３は、本実施形態に係る被測定者端末のハードウェア構成を例示するブロック図。
【図４】図４は、本実施形態に係る健康管理装置のハードウェア構成を例示するブロック図。
【図５】図５は、本実施形態に係る目標管理情報を例示するダイアグラム。
【図６】図６は、本実施形態に係る事業者サーバのハードウェア構成を例示するブロック図。
【図７】図７は、本実施形態に係る健康管理装置の機能構成を例示するブロック図。
【図８】図８は、本実施形態に係る健康管理装置における健康管理処理の手順を例示するフローチャート。
【図９】図９は、本実施形態の第１変形例に係る健康管理装置における健康管理処理の手順を例示するフローチャート。
【図１０】図１０は、本実施形態の第２変形例に係る目標管理情報を例示するダイアグラム。
【図１１】図１１は、本実施形態の第２変形例に係る健康管理装置における健康管理処理の手順を例示するフローチャート。
【図１２】図１２は、本実施形態の第３変形例に係る生体情報測定装置のハードウェア構成を例示するブロック図。
【図１３】図１３は、本実施形態の第３変形例に係る健康管理装置の機能構成を例示するブロック図。
【図１４】図１４は、本実施形態の第３変形例に係る被測定者の健康状態と、高血圧となる時間帯との関係を例示するテーブル。
【図１５】図１５は、本実施形態の第３変形例に係る健康管理装置における健康管理処理の手順を例示するフローチャート。
【図１６】図１６は、本実施形態の第４変形例に係る生体情報を例示するダイアグラム。
【発明を実施するための形態】
【００１８】
以下、図面を参照して実施形態について説明する。なお、以下の説明において、同一の機能及び構成を有する構成要素については、共通する参照符号を付す。また、共通する参照符号を有する複数の構成要素を区別する場合、当該共通する参照符号に後続する追加符号を更に付して区別する。なお、複数の構成要素について特に区別を要さない場合、当該複数の構成要素には、共通する参照符号のみが付され、追加符号は付さない。
【００１９】
１．適用例
まず、図１を用いて、本発明が適用される場面の一例について説明する。
【００２０】
図１に示すように、健康管理システムは、生体情報測定装置１００と、被測定者端末２００と、健康管理装置３００と、事業者サーバ４００と、を備えている。生体情報測定装置１００と、健康管理装置３００とは、被測定者端末２００を介して互いに通信可能に接続される。また、被測定者端末２００及び事業者サーバ４００は、ネットワークＮＷを経由して健康管理装置３００と通信可能に接続される。
【００２１】
生体情報測定装置１００は、例えば、被測定者の生体情報を測定し、測定日時と関連付けて被測定者端末２００に送信する。生体情報は、例えば、体重、ＢＭＩ（Body Mass Index）、体脂肪率、筋肉量、骨量、及び基礎代謝等の体重体組成に関する情報、並びに血圧値、及び活動量等の生命活動に関する情報を含む。生体情報測定装置１００は、例えば、体重体組成を測定可能な体重体組成測定装置、又は血圧値を測定可能な血圧測定装置等を含む。生体情報測定装置１００は、例えば、家屋等に据付けられた据付型デバイスでもよく、被測定者が常時着用可能なウェアラブルデバイスでもよい。
【００２２】
被測定者端末２００は、例えば、被測定者が使用する情報通信端末であり、例えば、スマートフォン、携帯電話、タブレットＰＣ、又はノートＰＣ等の携帯可能な情報通信端末を含む。被測定者端末２００は、被測定者の操作に応じて、当該被測定者が自身の健康状態を改善するために設定する目標設定情報の入力を受付け、健康管理装置３００に送信する。目標設定情報は、例えば、生体情報に関する目標値を含む。被測定者端末２００は、生体情報測定装置１００から生体情報を受信すると、当該生体情報を健康管理装置３００に転送する。また、被測定者端末２００は、健康管理装置３００から発行されたポイント又はクーポンを受信する。被測定者端末２００は、事業者サーバ４００から生体情報に基づくサービスの提供を受ける。
【００２３】
なお、生体情報測定装置１００は、生体情報を測定する機能のみを有し、当該生体情報を被測定者端末２００に送信する機能を必ずしも有している必要はない。この場合、被測定者端末２００は、被測定者の操作に応じて、生体情報測定装置１００によって測定された生体情報の入力を受付け、健康管理装置３００に送信してもよい。
【００２４】
健康管理装置３００は、例えば、被測定者による生体情報の測定を習慣化させつつ、被測定者の健康状態の改善を促進するための機能構成を備えるサーバ装置である。健康管理装置３００は、取得部３５０と、判定部３６０と、算出部３７０と、発行部３８０と、を備えている。
【００２５】
取得部３５０は、被測定者の生体情報及び目標設定情報を取得する。目標設定情報は、所定期間内に達成すべき目標値を含む目標管理情報として健康管理装置３００内において設定される。判定部３６０は、取得部３５０によって取得された生体情報が、当該生体情報に関して設定された目標値を所定期間内に達成したか否かを判定する。算出部３７０は、判定部３６０による判定結果に基づいて、被測定者のインセンティブ値を算出する。発行部３８０は、算出部３７０によって算出されたインセンティブ値に基づいて、被測定者に対するポイントの付与及びクーポンの発行の少なくとも一方を行う。
【００２６】
また、健康管理装置３００は、被測定者から取得された生体情報を集約し、事業者サーバ４００に提供する。
【００２７】
事業者サーバ４００は、例えば、被測定者から取得された生体情報を用いてサービスを提供するサービス事業者が使用するサーバ装置である。サービス事業者は、例えば、保険会社、及び健康保険組合等を含む。事業者サーバ４００は、例えば、健康管理装置３００から集約された生体情報を保険料の算定等に利用し、保険サービスを被測定者に提供する。
【００２８】
以上の通り、健康管理装置３００は、被測定者から取得した生体情報に基づき、生体情報が被測定者によって設定された目標値を達成したか否かを判定する。そして、健康管理装置３００は、目標値の達成の可否に応じたインセンティブ値を算出する。これにより、被測定者は、目標値の達成の可否に応じてポイントやクーポンを受け取ることができる。このため、被測定者に対して、より高いインセンティブを得るために、目標値を達成しようとする動機付けを与えることができる。
【００２９】
また、被測定者は、目標値を達成しようとする動機付けが与えられることによって、目標値を達成したか否かを確認するために、継続的に生体情報を測定するようになる。このため、被測定者に対して、生体情報の測定を習慣付けることができる。
【００３０】
また、健康管理装置３００は、被測定者の生体情報の測定が習慣化することにより、より多くの生体情報を取得することができる。これにより、健康管理装置３００は、より多くの生体情報を事業者サーバ４００に対して提供することができる。このため、サービス事業者は、より多くの生体情報を自身のサービスに利用することによって、より品質の高いサービスを提供することができる。したがって、被測定者は、より品質の高いサービスをサービス事業者から受けることができる。
【００３１】
２．実施例
上述の適用例に係る健康管理装置の実施例について、以下に説明する。なお、以下では、生体情報測定装置の一例としての体重体組成を測定可能な装置を含む健康管理システムについて説明する。
【００３２】
２．１  ハードウェア構成例
本実施形態に係る健康管理システムにおける各装置のハードウェア構成の一例について説明する。
【００３３】
２．１．１  生体情報測定装置のハードウェア構成例
まず、本実施形態に係る生体情報測定装置１００Ａのハードウェア構成例について説明する。図２は、本実施形態に係る生体情報測定装置１００Ａのハードウェア構成の一例を示すブロック図である。図２に示すように、本実施形態に係る生体情報測定装置１００Ａは、制御部１１０、記憶部１２０、通信部１３０、操作部１４０、表示部１５０、体重センサ１６１、及び身体インピーダンスセンサ１６２を備える。
【００３４】
制御部１１０は、ＣＰＵ（Central Processing Unit）、ＲＡＭ（Random Access Memory）、ＲＯＭ（Read Only Memory）等を含み、情報処理に応じて各構成要素の制御を行う。また、制御部１１０は、図示しないクロックを含み、現在の日時を掲示する時計機能を有する。
【００３５】
制御部１１０は、体重センサ１６１及び身体インピーダンスセンサ１６２による測定結果、並びに被測定者が操作部１４０を操作して入力される被測定者に関する基礎的な情報に基づき、体重情報、及び体組成情報を生成する。
【００３６】
被測定者に関する基礎的な情報は、例えば、被測定者の年齢、性別、身長等の情報を含む。体重情報は、例えば、被測定者の体重及びＢＭＩを含む。体組成情報は、被測定者の体脂肪率、筋肉量、骨量、及び基礎代謝を含む。以下の説明では、体重情報及び体組成情報を総称して、「体重体組成情報」と言う。なお、体重体組成情報は、生体情報のうちの１つであるため、以下の説明では、体重体組成情報のことを単に「生体情報」とも言う。生体情報は、クロックによる測定日時と関連付けられる。また、生体情報は、被測定者に関する基礎的な情報、及び生体情報測定装置１００Ａを一意に識別する機器ＩＤ等と更に関連付けられてもよい。
【００３７】
記憶部１２０は、例えば、ＨＤＤ（Hard Disk Drive）、ＳＳＤ（Solid State Drive）等の補助記憶装置である。記憶部１２０は、生体情報が被測定者端末２００に送信されるまでの間、これらの情報を一時的に記憶する。
【００３８】
通信部１３０は、被測定者端末２００との通信を司る通信インタフェースである。通信部１３０は、例えば、生体情報を被測定者端末２００へ送信する。本実施形態では、通信部１３０による被測定者端末２００との通信は、例えば、ブルートゥース（登録商標）等の近距離無線通信が適用可能であるが、これに限定されない。通信部１３０による通信は、例えば、ＬＡＮ（Local Area Network）のようなネットワークＮＷを介する通信、又は通信ケーブルを用いた有線の通信が適用されてもよい。
【００３９】
操作部１４０は、例えば、タッチパネル及び操作ボタン等のユーザインタフェースを含む。操作部１４０は、当該ユーザインタフェースを介して被測定者による操作を検出し、当該操作の内容を示す信号を制御部１１０に出力する。
【００４０】
表示部１５０は、例えば、表示画面（例えば、ＬＣＤ（Liquid Crystal Display）又はＥＬ（Electroluminescence）ディスプレイ等）及びインジケータ等を含む。表示部１５０は、制御部１１０からの信号にしたがって情報を表示し、被測定者へ通知する。
【００４１】
体重センサ１６１は、例えば、歪ゲージであり、被測定者の体重を測定する。
【００４２】
身体インピーダンスセンサ１６２は、例えば、被測定者の身体インピーダンスを測定する。身体インピーダンスセンサ１６２は、例えば、身体インピーダンスを測定する際に被測定者の身体に定電流を印加するための電極と、電流印加時に身体から導出される電圧を測定するための電極と、を含む。
【００４３】
２．１．２  携帯端末のハードウェア構成例
次に、被測定者端末２００のハードウェア構成例について説明する。図３は、本実施形態に係る被測定者端末２００のハードウェア構成の一例を示すブロック図である。図３に示すように、本実施形態に係る被測定者端末２００は、制御部２１０、記憶部２２０、通信部２３０、操作部２４０、及び表示部２５０を備える。
【００４４】
制御部２１０及び記憶部２２０はそれぞれ、上記生体情報測定装置１００Ａの制御部１１０及び記憶部１２０と同様である。ただし、被測定者端末２００の制御部２１０は、
被測定者が操作部２４０を操作して入力される情報に基づいて目標設定情報を生成する。また、被測定者端末２００の記憶部２２０は、目標設定情報、及び生体情報測定装置１００Ａから受信した生体情報が健康管理装置３００に送信されるまでの間、これらの情報を一時的に記憶する。
【００４５】
目標設定情報は、被測定者が健康状態の改善のために設定する情報であり、例えば、生体情報に関する目標値を含む。また、目標設定情報は、当該目標値の達成期限を示す情報を更に含んでもよい。具体的には、例えば、目標設定情報は、「生体情報（例えば、体重）が現時点から所定期間内に（例えば、現時点から３０日経過するまでに）、目標値（例えば、６０キログラム）を達成すること」を示す情報を含む。なお、目標設定情報は、上述の例に限らず、種々の目標設定の仕方が適用可能である。例えば、目標設定情報に設定される生体情報は、体重に限らず、任意の生体情報が設定可能である。また、例えば、目標設定情報に設定される目標値は、具体的な数値に限らず、「標準的な値に近付ける」旨を設定してもよい。
【００４６】
通信部２３０は、生体情報測定装置１００Ａ、健康管理装置３００、及び事業者サーバ４００との通信を司る通信インタフェースである。通信部２３０は、例えば、生体情報を生体情報測定装置１００Ａから受信する。通信部２３０は、生体情報、目標設定情報を健康管理装置３００に送信し、ポイント又はクーポンを受信する。また、通信部２３０は、サービスを事業者サーバ４００から提供されてもよい。本実施形態では、通信部２３０による健康管理装置３００及び事業者サーバ４００との通信は、例えば、ネットワークＮＷを介する通信が適用可能であるが、これに限定されず、近距離無線通信、又は有線通信が適用されてもよい。
【００４７】
操作部２４０及び表示部２５０はそれぞれ、上記生体情報測定装置１００Ａの操作部１４０及び表示部１５０と同様である。
【００４８】
２．１．３  健康管理装置のハードウェア構成例
次に、健康管理装置３００のハードウェア構成例について説明する。図４は、本実施形態に係る健康管理装置３００のハードウェア構成の一例を示すブロック図である。図４に示すように、本実施形態に係る健康管理装置３００は、制御部３１０、記憶部３２０、通信部３３０、及びドライブ３４０を備える。
【００４９】
制御部３１０及び記憶部３２０はそれぞれ、上記生体情報測定装置１００Ａの制御部１１０及び記憶部１２０と同様である。ただし、健康管理装置３００の記憶部３２０は、制御部３１０で実行される健康管理プログラム３２１において用いられる目標管理情報３２２等を記憶する。
【００５０】
通信部３３０は、被測定者端末２００及び事業者サーバ４００との通信を司る通信インタフェースである。通信部３３０は、例えば、生体情報及び目標設定情報を被測定者端末２００から受信する。また、通信部３３０は、例えば、同一の被測定者から測定された生体情報の組を事業者サーバ４００に送信する。
【００５１】
なお、通信部３３０は、事業者サーバ４００から、生体情報の組の提供の対価として、任意の種類のリワードを受信してもよい。リワードは、例えば、料金でもよく、ポイント又はクーポンでもよい。また、通信部３３０は、事業者サーバ４００から被測定者の健康状態に関する情報を受信してもよく、その対価として任意の種類のリワードを送信してもよい。事業者サーバ４００から受信し得る被測定者の健康状態に関する情報は、例えば、被測定者の健康診断や人間ドックの診断結果等を含む。
【００５２】
ドライブ３４０は、例えば、ＣＤ（Compact Disk）ドライブ、ＤＶＤ（Digital Versatile Disk）ドライブ等であり、記憶媒体３４１に記憶されたプログラムを読込むための装置である。ドライブ３４０の種類は、記憶媒体３４１の種類に応じて適宜選択されてよい。上記健康管理プログラム３２１、及び目標管理情報３２２は、この記憶媒体３４１に記憶されていてもよい。
【００５３】
記憶媒体３４１は、コンピュータその他装置、機械等が記録されたプログラム等の情報を読取り可能なように、当該プログラム等の情報を、電気的、磁気的、光学的、機械的又は化学的作用によって蓄積する媒体である。健康管理装置３００は、この記憶媒体３４１から、健康管理プログラム３２１、及び目標管理情報３２２を取得してもよい。
【００５４】
健康管理プログラム３２１は、生体情報が期間内に目標値を達成したか否かを判定することで被測定者の健康状態を管理しつつ、当該判定結果に応じてポイント又はクーポンを発行する健康管理処理（図８）を、健康管理装置３００に実行させるためのプログラムである。
【００５５】
目標管理情報３２２は、被測定者によって取得された生体情報と、設定された目標値との関係を示す情報である。目標管理情報３２２は、被測定者端末２００から取得された目標設定情報に基づき、目標値と、目標値が設定されてから現在に至るまでの生体情報と、目標値の達成期限と、が設定される。なお、目標設定情報において、目標値に「標準的な値に近付ける」旨が設定されている場合、制御部３１０は、被測定者に関する基礎的な情報に基づいて、標準的な値として予め設定された目標値を目標管理情報３２２に設定する。また、目標管理情報３２２は、目標値が設定されてから目標値を達成すべき所定期間の間において、生体情報が取得されるたびに更新される。
【００５６】
図５は、本実施形態に係る目標管理情報３２２の一例を例示するダイアグラムである。図５の例では、生体情報として体重が取得される場合について示される。また、図５の例では、目標値の達成期限として３０日が設定され、当該３０日の所定期間が経過した際における目標管理情報３２２が視覚的に表されている。具体的には、図５では、横軸に目標値が設定されてからの経過日数が示され、縦軸に生体情報としての体重が示される。また、図５では、実際に取得された体重が“黒く塗りつぶされたプロット”として示され、目標値として設定される体重が“白抜きのプロット”として示される。なお、図５では、実際に取得された体重のうち、朝（例えば、日昇頃から正午頃まで）に取得された体重が“丸いプロット”として示され、夜（例えば、日没頃から日が変わる頃まで）に取得された体重が“四角のプロット”として示される。
【００５７】
図５に示すように、目標管理情報３２２は、目標値の設定時における初期値Ｍｓを示す点Ｐ１と、目標設定情報に基づいて決定された目標値Ｍｔを示す点Ｐ２と、所定期間経過時における最終値Ｍｆを示す点Ｐ３と、を含む。また、目標管理情報３２２は、点Ｐ１と点Ｐ３との間の期間において取得された体重を示す複数の点を更に含む。図５によれば、目標管理情報３２２を参照することにより、制御部３１０は、３０日間のうちの期間Ｔ１、Ｔ２、及びＴ３を除く全ての期間において、朝と夜との２回の生体情報が取得されたと判定することができる。また、制御部３１０は、被測定者の体重が初期値Ｍｓから徐々に目標値Ｍｔに近付いてゆき、２８日目の時点で目標値Ｍｔを達成したと判定することができる。
【００５８】
２．１．４  事業者サーバのハードウェア構成例
次に、事業者サーバ４００のハードウェア構成例について説明する。図６は、本実施形態に係る事業者サーバ４００のハードウェア構成の一例を示すブロック図である。図６に示すように、本実施形態に係る事業者サーバ４００は、制御部４１０、記憶部４２０、通信部４３０、及びドライブ４４０を備える。ドライブ４４０は、記憶媒体４４１に記憶されたプログラムを読込むための装置である。
【００５９】
制御部４１０及び記憶部４２０はそれぞれ、上記健康管理装置３００の制御部３１０及び記憶部３２０と同様である。ただし、事業者サーバ４００の記憶部４２０は、図示しないサービス等を記憶する。
【００６０】
通信部４３０は、被測定者端末２００及び健康管理装置３００との通信を司る通信インタフェースである。通信部４３０は、例えば、生体情報の組を健康管理装置３００から受信する。また、通信部４３０は、当該生体情報の組を利用して生成されるサービスを被測定者端末２００に提供する。
【００６１】
ドライブ４４０及び記憶媒体４４１は、上記健康管理装置３００のドライブ３４０及び記憶媒体３４１と同様である。
【００６２】
２．２  機能構成例
次に、本実施形態に係る健康管理システムの機能構成の一例について説明する。
【００６３】
２．２．１  健康管理装置の機能構成例
図７は、本実施形態に係る健康管理システムの健康管理装置３００の機能構成の一例を模式的に示すブロック図である。
【００６４】
健康管理装置３００の制御部３１０は、記憶部３２０に記憶された健康管理プログラム３２１をＲＡＭに展開する。そして、制御部３１０は、ＲＡＭに展開された健康管理プログラム３２１をＣＰＵにより解釈及び実行して、各構成要素を制御する。これによって、図７に示されるように、本実施形態に係る健康管理装置３００は、取得部３５０、判定部３６０、算出部３７０、及び発行部３８０を備えるコンピュータとして機能する。
【００６５】
取得部３５０は、生体情報測定装置１００Ａによって測定された生体情報、及び被測定者端末２００によって設定された目標設定情報を取得し、記憶部３２０に転送する。転送された生体情報及び目標設定情報は、例えば、目標管理情報３２２として集約して記憶される。
【００６６】
判定部３６０は、目標管理情報３２２を読出し、取得された生体情報が所定期間内に目標値を達成したか否かを判定する。判定部３６０は、判定結果を生成し、算出部３７０に送信する。なお、判定部３６０は、判定に際して、所定期間の最後に取得された生体情報のみを目標値と比較することによって達成の可否を判定してもよいが、これに限られない。例えば、判定部３６０は、所定期間のうち、所定の（例えば、所定期間内において最後に取得された）複数個の生体情報の平均値を、目標値と比較してもよい。
【００６７】
算出部３７０は、判定部３６０から判定結果を受けると、判定結果に応じたインセンティブ値を算出する。算出部３７０は、算出されたインセンティブ値を発行部３８０に送信する。
【００６８】
発行部３８０は、算出部３７０からインセンティブ値を受けると、当該インセンティブ値を、対応するポイント又はクーポンに変換する。発行部３８０は、インセンティブ値を変換して得られたポイント又はクーポンを被測定者に対して発行する。ポイント又はクーポンは、例えば、被測定者端末２００に送信される。
【００６９】
２．３  動作例
次に、本実施形態に係る健康管理システムの動作例について説明する。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００７０】
２．３．１  健康管理装置の動作例
図８は、本実施形態に係る健康管理装置３００における健康管理処理の手順の一例を模式的に示すフローチャートである。
【００７１】
（ステップＳＴ１０）
ステップＳＴ１０では、制御部３１０は、通信部３３０を取得部３５０として機能させ、被測定者端末２００から、目標設定情報を取得する。また、制御部３１０は、取得した目標設定情報内の生体情報の初期値、目標値、及び当該目標値の達成期限を目標管理情報３２２に設定し、記憶部３２０に記憶させる。これにより、被測定者によって設定された目標値が健康管理装置３００によって管理される。
【００７２】
（ステップＳＴ２０）
ステップＳＴ２０では、制御部３１０は、通信部３３０を取得部３５０として機能させ、被測定者端末２００を介して、所定期間内において測定された生体情報を取得し、記憶部３２０に記憶させる。制御部３１０は、生体情報を取得する毎に目標管理情報３２２を更新する。
【００７３】
（ステップＳＴ３０）
ステップＳＴ３０では、制御部３１０は、目標管理情報３２２内の達成期限に基づき、所定期間が経過したか否かを判定する。制御部３１０は、所定期間が経過していないと判定された場合（ステップＳＴ３０；ｎｏ）、ステップＳＴ２０に進み、最新の生体情報を取得する。また、制御部３１０は、所定期間が経過したと判定された場合（ステップＳＴ３０；ｙｅｓ）、生体情報の取得を終了し、ステップＳＴ４０に進む。
【００７４】
（ステップＳＴ４０）
ステップＳＴ４０では、制御部３１０は、判定部３６０として機能し、目標管理情報３２２を参照することにより生体情報が所定期間内に目標値を達成したか否かを判定する。制御部３１０は、生体情報が目標値を達成していないと判定された場合（ステップＳＴ４０；ｎｏ）、被測定者への目標値の達成に対するインセンティブ値を算出することなく、ステップＳＴ６０に進む。また、制御部３１０は、生体情報が目標値を達成したと判定されたた場合（ステップＳＴ４０；ｙｅｓ）、インセンティブ値を算出するためにステップＳＴ５０に進む。
【００７５】
（ステップＳＴ５０）
ステップＳＴ５０では、制御部３１０は、ステップＳＴ４０における判定結果に応じて算出部３７０として機能し、被測定者への目標値の達成に対するインセンティブ値を算出する。
【００７６】
（ステップＳＴ６０）
ステップＳＴ６０では、制御部３１０は、発行部３８０として機能し、ステップＳＴ５０で算出されたインセンティブ値をポイント又はクーポンに変換した後、当該変換されたポイント又はクーポンを被測定者端末２００に発行する。なお、制御部３１０は、目標値が達成されなかったことによりステップＳＴ５０におけるインセンティブ値の算出が行われなかった場合、ポイント又はクーポンを発行しなくてもよい。
【００７７】
以上で、健康管理装置３００の動作は終了する。
【００７８】
２．４  作用・効果
本実施形態によれば、生体情報測定の習慣化と、健康状態改善の促進を可能にする技術を提供することができる。本効果につき、以下に説明する。
【００７９】
本実施形態では、ステップＳＴ４０において、目標値が設定されてから所定期間が経過した後に、被測定者から取得された生体情報が当該目標値を達成したか否かが判定される。そして、所定期間内に目標値に達した場合、ステップＳＴ５０において、当該達成した目標に応じたインセンティブ値が算出され、ステップＳＴ６０において、当該算出されたインセンティブ値に応じたポイント又はクーポンが被測定者に対して発行される。このため、被測定者は、目標値を達成すれば、より多くのポイント又はクーポンを受け取ることができる。このため、被測定者は、目標値を達成しようと努力するようになり、自身の生体情報を継続的に測定するようになる。これにより、被測定者は、主体的に健康管理を行うことが習慣化される。したがって、被測定者による生体情報の測定を習慣化させつつ、健康状態の改善を促進させることができる。
【００８０】
なお、生体情報は、例えば、被測定者の脳・心血管疾患の発症のリスクを定量化するために重要な情報である。このため、健康管理装置３００によって取得された生体情報は、健康保険等の上記リスクに関連するサービスを扱うサービス事業者にとって経済的な価値を有し得る。本実施形態では、健康管理装置３００は、被測定者による生体情報の測定が習慣化されることにより、より多くの生体情報を取得することができる。このため、健康管理装置３００は、事業者サーバ４００に対して、より多くの生体情報を提供できる。これにより、事業者サーバ４００を管理するサービス事業者は、健康管理装置３００から提供された多くの生体情報を用いて、より品質の高いサービスを被測定者に対して提供することができる。
【００８１】
３．  変形例等
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００８２】
３．１  第１変形例
例えば、上記実施形態では、算出部３７０が、所定期間内に目標値を達成したか否かに基づいてインセンティブ値を算出する場合について説明したが、これに限られない。
【００８３】
具体的には、例えば、算出部３７０は、所定期間内に取得された生体情報の数に更に基づいて、インセンティブ値を算出してもよい。具体的には、例えば、算出部３７０は、生体情報の数に比例してインセンティブ値を算出してもよく、生体情報の数が所定の閾値に達することに応じて、段階的にインセンティブ値を更に加算してもよい。
【００８４】
なお、インセンティブ値の算出に寄与する生体情報の数は、所定期間内に取得された生体情報のうちの有効と判定されたものの数であってもよい。この場合、判定部３６０は、取得された生体情報が有効であるか否かを更に判定する。そして、判定部３６０は、生体情報が有効であるか否かを判定した後に、有効な生体情報の数を集計し、算出部３７０に送信する。
【００８５】
具体的には、例えば、判定部３６０は、最新の生体情報の測定日時と、１つ前の有効な生体情報の測定日時と、を比較することによって、当該最新の生体情報の有効性を判定する。より具体的には、判定部３６０は、最新の生体情報の測定日時が、１つ前の有効な生体情報から一定期間（例えば、半日等）離れている場合に有効であると判定し、一定期間よりも離れていない場合に有効でないと判定する。また、判定部３６０は、例えば、最新の生体情報の測定日時が、所定の時間帯に測定されたものであるか否かを判定することによって、当該最新の生体情報の有効性を判定してもよい。
【００８６】
また、判定部３６０は、上述の例に加え、任意の判定項目を追加可能である。例えば、判定部３６０は、最新の生体情報が、被測定者の使用する生体情報測定装置１００Ａの機器ＩＤに対応付けられているか否かに基づいて、有効性を判定してもよい。
【００８７】
図９は、本実施形態の第１変形例に係る健康管理装置３００の動作の一例を模式的に示すフローチャートである。図９は、図８において説明された動作に加え、有効な生体情報の数に更に基づいてインセンティブ値を算出するためのステップＳＴ２１、ＳＴ２２、及びＳＴ３１が追加されている。
【００８８】
ステップＳＴ１０及びＳＴ２０については、図８と同様の動作であるため、その説明を省略する。
【００８９】
（ステップＳＴ２１）
ステップＳＴ２１において、制御部３１０は、判定部３６０として機能し、直近において取得された生体情報が有効であるか否かを判定する。制御部３１０は、生体情報が有効でないと判定された場合（ステップＳＴ２１；ｎｏ）、ステップＳＴ３０に進む。また、制御部３１０は、生体情報が有効であると判定された場合（ステップＳＴ２１；ｙｅｓ）、ステップＳＴ２２に進む。
【００９０】
（ステップＳＴ２２）
ステップＳＴ２２において、制御部３１０は、引き続き判定部３６０として機能し、有効な生体情報の数をインクリメントした後、当該インクリメントされた生体情報の数を記憶部３２０に記憶させる。
【００９１】
ステップＳＴ３０については、図８と同様の動作であるため、その説明を省略する。
【００９２】
（ステップＳＴ３１）
ステップＳＴ３１において、制御部３１０は、算出部３７０として機能し、有効な生体情報の数に応じたインセンティブ値を算出する。
【００９３】
ステップＳＴ４０及びＳＴ５０については、図８と同様の動作であるため、その説明を省略する。
【００９４】
（ステップＳＴ６０）
ステップＳＴ６０では、制御部３１０は、発行部３８０として機能し、ステップＳＴ３１及びステップＳＴ５０で算出されたインセンティブ値の合計をポイント又はクーポンに変換した後、当該変換されたポイント又はクーポンを被測定者端末２００に発行する。
【００９５】
以上で、健康管理装置３００の動作は終了する。
【００９６】
これにより、健康管理装置３００は、被測定者に対して、単に目標値達成の有無だけでなく、目標値を達成するまでの過程において取得された生体情報の数に応じてインセンティブを付与することができる。このため、被測定者に対して、目標値達成までの過程において生体情報を継続的に提供する動機付けを与えることができる。
【００９７】
また、被測定者が目標値達成までの過程における生体情報を継続的に提供するようになることにより、健康管理装置３００は、目標値達成までの過程における生体情報の組を取得することができる。このため、健康管理装置３００は、当該生体情報の組を、事業者サーバ４００に提供することができる。なお、当該生体情報の組は、単に目標値を達成したか否かを示す生体情報よりも高い価値を有し得る。例えば、サービス事業者は、当該生体情報の組に基づいて、目標値が達成できなかった場合に、被測定者の生体情報にどのような変化が生じたか、を把握することができる。このため、サービス事業者は、当該生体情報の組に基づいて、サービスの品質をより高めることができる。
【００９８】
３．２  第２変形例
また、上記実施形態では、目標管理情報３２２に、所定期間内における最終的な目標値が設定される場合について説明したが、これに限らず、所定期間内の任意の時点における中間目標値が設定されてもよい。
【００９９】
図１０は、本実施形態の第２変形例に係る目標管理情報を例示するダイアグラムである。図１０は、図５に示された目標管理情報の一部であり、目標値の設定から（ｉ−１）日目、及びｉ日目に取得された生体情報と、ｉ日目に設定された中間目標値と、が示される（ｉは、任意の自然数）。より具体的には、図１０には、（ｉ−１）日目の朝及び夜において取得された体重をそれぞれ示す点Ｐ４及び点Ｐ５、並びにｉ日目の朝及び夜において取得された体重をそれぞれ示す点Ｐ６及び点Ｐ７が示される。また、図１０には、ｉ日目の夜における体重の中間目標値Ｍｔ＿ｉを示す点Ｐ８が示される。
【０１００】
一般的に、夜の体重は、日中に摂取された食物の重さが加わることによって、同日における朝の体重より重くなる。また、次の日における朝の体重は、夜間の基礎代謝によって、前日の夜の体重より軽くなる。このため、体重を減らすためには、ｉ日目の夜における体重の値Ｍｆ＿ｉは、例えば、（ｉ−１）日目の夜における体重の値Ｍｆ＿（ｉ−１）からｉ日目の朝における体重の値Ｍｓ＿ｉへの減量分（Ｍｆ＿（ｉ−１）−Ｍｓ＿ｉ）よりも小さく抑えることが望ましい。このため、ｉ日目の中間目標値Ｍｔ＿ｉは、例えば、値Ｍｆ＿（ｉ−１）を示す点Ｐ５、及びＭｓ＿ｉを示す点Ｐ６に基づいて決定され、値Ｍｆ＿ｉを示す点Ｐ７と比較される。
【０１０１】
判定部３６０は、目標管理情報３２２を読出し、取得された生体情報が、所定期間内の時点に対応して設定された中間目標値を達成したか否かを判定する。判定部３６０は、判定結果を生成し、算出部３７０に送信する。図１０の例では、値Ｍｆ＿ｉは、値Ｍｔ＿ｉより小さいため、ｉ日目に設定された中間目標値は、達成されたと判定される。
【０１０２】
算出部３７０は、判定部３６０から中間目標値に関する判定結果を受けると、中間目標値に関する判定結果に応じたインセンティブ値を更に算出する。算出部３７０は、中間目標値に関する算出されたインセンティブ値と、最終的な目標値に関するインセンティブ値と、合計し、発行部３８０に送信する。
【０１０３】
図１１は、本実施形態の第２変形例に係る健康管理装置３００の動作の一例を模式的に示すフローチャートである。図１１は、図８において説明された動作に加え、中間目標値が達成されたか否かに更に基づいてインセンティブ値を算出するためのステップＳＴ２３、及びＳＴ２４が追加されている。
【０１０４】
ステップＳＴ１０及びＳＴ２０については、図８と同様の動作であるため、その説明を省略する。
【０１０５】
（ステップＳＴ２３）
ステップＳＴ２３において、制御部３１０は、目標管理情報３２２を参照することにより生体情報が中間目標値を達成したか否かを判定する。制御部３１０は、生体情報が中間目標値を達成していないと判定された場合（ステップＳＴ２３；ｎｏ）、被測定者への中間目標値の達成に対するインセンティブ値を算出することなく、ステップＳＴ３０に進む。また、制御部３１０は、生体情報が中間目標値を達成したと判定された場合（ステップＳＴ２３；ｙｅｓ）、インセンティブ値を算出するためにステップＳＴ２４に進む。
【０１０６】
（ステップＳＴ２４）
ステップＳＴ２４において、制御部３１０は、ステップＳＴ２３における判定結果に応じて算出部３７０として機能し、被測定者への中間目標値の達成に対するインセンティブ値を算出する。
【０１０７】
ステップＳＴ３０、ＳＴ４０、及びＳＴ５０については、図８と同様の動作であるため、その説明を省略する。
【０１０８】
（ステップＳＴ６０）
ステップＳＴ６０では、制御部３１０は、発行部３８０として機能し、ステップＳＴ２４及びステップＳＴ５０で算出されたインセンティブ値の合計をポイント又はクーポンに変換した後、当該変換されたポイント又はクーポンを被測定者端末２００に発行する。
【０１０９】
以上で、健康管理装置３００の動作は終了する。
【０１１０】
これにより、健康管理装置３００は、最終的な目標値達成に至るまでの過程において中間目標値を設定し、当該中間目標値の達成に応じてインセンティブ値を算出することができる。このため、被測定者に対して、最終的な目標値を達成するためだけでなく、その過程における生体情報の改善についても注意を払うための動機付けを与えることができる。したがって、より被測定者の健康管理を促進させることができる。
【０１１１】
３．３  第３変形例
また、上記実施形態では、生体情報測定装置１００として体重体組成情報を測定可能な装置が適用される場合について説明したが、これに限られない。例えば、生体情報測定装置１００は、血圧値等を測定可能な装置を適用してもよい。また、生体情報測定装置１００として血圧値を測定可能な装置が適用される場合、健康管理装置３００は、被測定者の健康状態を示す健康情報を更に取得してもよい。そして、健康管理装置３００は、取得された血圧値が当該健康情報に基づく所定条件を満たす場合に、より価値の高い生体情報が得られたと判定し、より多くのインセンティブ値を算出してもよい。
【０１１２】
図１２は、本実施形態に係る第３変形例の生体情報測定装置のハードウェア構成を例示するブロック図である。図１２に示される生体情報測定装置１００Ｂは、生体情報として血圧値等を測定可能な装置であり、例えば、被測定者が取り付け可能なウェアラブルデバイスである。生体情報測定装置１００Ｂは、制御部１１０、記憶部１２０、通信部１３０、操作部１４０、表示部１５０、血圧センサ１６３、加速度センサ１６４、及び温湿度センサ１６５を備える。
【０１１３】
制御部１１０、記憶部１２０、通信部１３０、操作部１４０、及び表示部１５０はそれぞれ、上記生体情報測定装置１００Ａの制御部１１０、記憶部１２０、通信部１３０、操作部１４０、及び表示部１５０と同様である。ただし、生体情報測定装置１００Ｂの制御部１１０は、血圧センサ１６３、加速度センサ１６４、及び温湿度センサ１６５による測定結果に基づき、血圧情報、活動情報、及び環境情報を生成する。血圧情報は、血圧センサ１６３による測定に基づく、被測定者の血圧値を含む。活動情報は、加速度センサ１６４による測定に基づく、被測定者の活動量、歩数、及び睡眠状態を含む。環境情報は、温湿度センサ１６５による測定に基づく、被測定者の周辺の温度、及び湿度を含む。血圧情報、活動情報、及び環境情報の各々は、クロックによる測定日時と関連付けられる。また、血圧情報、活動情報、及び環境情報の各々は、生体情報測定装置１００Ｂを一意に識別する機器ＩＤと更に関連付けられてもよい。
【０１１４】
また、制御部１１０は、被測定者が操作部１４０を操作して入力される被測定者に関する基礎的な情報に基づき、血圧情報等を生成する。被測定者に関する基礎的な情報は、例えば、被測定者の健康状態を示す健康情報を更に含んでいてもよい。被測定者の健康状態とは、例えば、被測定者の高血圧に関する症状を含む。例えば、健康情報は、被測定者が睡眠時無呼吸症候群（ＳＡＳ）であるか否か、早朝高血圧であるか否か、職場高血圧であるか否か、等の情報を含む。
【０１１５】
血圧センサ１６３は、被測定者の血圧値を測定する。血圧値は、例えば、最高血圧及び最低血圧等の代表的な指数を含む。また、血圧センサ１６３は、例えば、被測定者の血圧を、心拍の一拍ごと（連続的）に測定可能な連続測定型でもよく、所定の時期についてスポット（非連続的）で測定可能な非連続測定型でもよい。連続測定型の血圧センサ１６３には、例えば、脈波伝播時間（ＰＴＴ；Pulse Transmit Time）に基づいて被測定者の血圧を連続的に測定する手法、及び圧脈波に基づいて血圧を連続的に測定する手法（トノメトリ法）等が適用可能である。なお、連続的に血圧を測定する手法は、上述の例に限らず、発光素子を用いて脈波を検出する手法等が適宜適用可能である。非連続測定型の血圧センサ１６３には、例えば、カフを圧力センサとして用いて血管を圧迫することで脈波を検出する手法（オシロメトリック法）が適用可能である。
【０１１６】
加速度センサ１６４は、生体情報測定装置１００Ｂの装着箇所において生じる被測定者の加速度を、３軸成分の組として検出する。また、加速度センサ１６４は、ジャイロセンサを更に含んでもよく、加速度に加えて、角速度を３軸成分の組として更に検出してもよい。
【０１１７】
温湿度センサ１６５は、被測定者の周辺の温度及び湿度を測定する。
【０１１８】
図１３は、本実施形態に係る第３変形例の健康管理装置の機能構成を例示するブロック図である。
【０１１９】
図１３に示すように、取得部３５０は、被測定者端末２００を介して生体情報、健康情報、及び目標設定情報を取得し、記憶部３２０に転送する。生体情報、健康情報、及び目標設定情報は、例えば、目標管理情報３２２として集約して記憶される。
【０１２０】
判定部３６０は、健康情報に基づき、生体情報が所定条件を満たすか否かを判定する。判定部３６０は、判定結果を生成し、算出部３７０に送信する。
【０１２１】
一般的に、高血圧の症状を有する被測定者は、自身の血圧値が高くなっている際の血圧値に関心がある。このため、血圧値が高くなる時間帯に取得された血圧値は、より高い価値を有すると考えられる。一方、血圧値は、被測定者の健康状態に応じて、高血圧となりやすい時間帯が変化し得る。このため、取得された血圧値が高い価値を有するか否かは、被測定者の健康状態に応じて個別に判定され得る。
【０１２２】
図１４は、本実施形態に係る第３変形例に係る被測定者の健康状態と、高血圧となる時間帯との関係を例示するテーブルである。
【０１２３】
図１４に示すように、例えば、被測定者が睡眠時無呼吸症候群である場合、血圧値は、睡眠時のうちの特にサージが発生した際に高血圧になる可能性が高い。また、被測定者が早朝高血圧である場合、血圧値は、朝に高血圧になる可能性が高い。また、被測定者が職場高血圧である場合、血圧値は、勤務中に高血圧になる可能性が高い。
【０１２４】
このため、判定部３６０では、被測定者の健康状態に応じて、血圧値が取得された時間帯が高血圧となりやすい時間帯であるか否かを判定する。そして、高血圧となりやすい時間帯に血圧値が取得された場合、所定条件を満たすと判定し、高血圧となりやすい時間帯に取得されたものでない場合、所定条件を満たさないと判定する。
【０１２５】
図１５は、本実施形態に係る第３変形例に係る健康管理装置における健康管理処理の手順の一例を模式的に示すフローチャートである。
【０１２６】
図１５は、図８において説明された動作に加え、生体情報が健康情報に基づく所定条件を満たすか否かに更に基づいてインセンティブ値を算出するためのステップＳＴ２５、ＳＴ２６、及びＳＴ３２が追加されている。
【０１２７】
ステップＳＴ１０及びＳＴ２０については、図８と同様の動作であるため、その説明を省略する。
【０１２８】
（ステップＳＴ２５）
ステップＳＴ２５において、制御部３１０は、健康情報に応じて、生体情報が所定条件を満たすか否かを判定する。制御部３１０は、生体情報が所定条件を満たさないと判定された場合（ステップＳＴ２５；ｎｏ）、ステップＳＴ３０に進む。また、制御部３１０は、生体情報が所定条件を満たすと判定された場合（ステップＳＴ２５；ｙｅｓ）、ステップＳＴ２６に進む。
【０１２９】
（ステップＳＴ２６）
ステップＳＴ２６において、制御部３１０は、引き続き判定部３６０として機能し、所定条件を満たす生体情報の数をインクリメントした後、当該インクリメントされた生体情報の数を記憶部３２０に記憶させる。
【０１３０】
ステップＳＴ３０については、図８と同様の動作であるため、その説明を省略する。
【０１３１】
（ステップＳＴ３２）
ステップＳＴ３２において、制御部３１０は、算出部３７０として機能し、所定条件を満たす生体情報の数に応じたインセンティブ値を算出する。
【０１３２】
ステップＳＴ４０及びＳＴ５０については、図８と同様の動作であるため、その説明を省略する。
【０１３３】
（ステップＳＴ６０）
ステップＳＴ６０では、制御部３１０は、発行部３８０として機能し、ステップＳＴ３２及びステップＳＴ５０で算出されたインセンティブ値の合計をポイント又はクーポンに変換した後、当該変換されたポイント又はクーポンを被測定者端末２００に発行する。
【０１３４】
以上で、健康管理装置３００の動作は終了する。
【０１３５】
これにより、健康管理装置３００は、被測定者に対して、特定の健康状態にある被測定者から取得された生体情報のうち、特に重要な時間帯に取得された生体情報の数に応じてインセンティブを付与することができる。このため、被測定者は、自身の健康状態に応じて、特に重要な時間帯において測定された生体情報を提供するための動機付けが与えられる。より具体的には、健康管理装置３００は、被測定者が高血圧の症状を有している場合、被測定者に対して、血圧値が特に高くなる時間帯において血圧値を測定するための動機づけを与えることができる。
【０１３６】
３．４  第４変形例
また、上記実施形態の第３変形例では、目標値として血圧値が設定される場合について説明したが、血圧値から算出可能な他の指標が目標値として設定されてもよい。例えば、被測定者が睡眠時無呼吸症候群の場合、目標値として、睡眠時におけるサージの発生回数の上限が目標値として設定されてもよい。
【０１３７】
なお、この場合、生体情報測定装置１００Ｂは、サージが発生したか否かを判定できるようにするために、睡眠時の血圧値を常に測定し続けることが好ましい。したがって、生体情報測定装置１００Ｂは、非連続測定型よりも、連続測定型であることが好ましい。
【０１３８】
図１６は、本実施形態の第４変形例に係る生体情報を例示するダイアグラムである。図１６では、睡眠時において連続的に測定される血圧値の様子が示される。具体的には、図１６では、心拍の一拍ごとに測定される最高血圧及び最低血圧がそれぞれ点ＳＢＰ及びＤＢＰとして示される。また、図１６では、期間Ｔ４においてサージが発生している様子が示される。
【０１３９】
図１６に示すように、睡眠時における血圧値は、通常時には最高血圧及び最低血圧のいずれについても一拍ごとの値が安定している。しかしながら、サージが発生すると、最高血圧及び最低血圧のいずれについても一時的に急激に増加する。
【０１４０】
取得部３５０は、図１６に示されるような、一晩にわたって連続的に測定された生体情報を、複数日にわたって取得する。
【０１４１】
判定部３６０は、当該取得された生体情報に基づき、サージが発生したか否かを判定する。判定部３６０は、サージが発生したと判定した場合、サージの発生回数をインクリメントした後、当該インクリメントされたサージの発生回数を記憶部３２０に記憶させる。そして、判定部３６０は、所定期間内において発生した合計のサージの発生回数が、目標値として設定された上限値以内であることを達成しているか否かを更に判定してもよい。
【０１４２】
算出部３７０は、サージの発生回数が目標値を達成している場合、当該判定結果に応じたインセンティブ値を算出してもよい。
【０１４３】
以上のように構成することにより、取得された生体情報以外の評価項目が目標値に設定された場合においても、適切にインセンティブ値を算出することができる。
【０１４４】
３．５  その他
また、上記実施形態では、健康管理装置３００内の各機能構成は、１つのサーバ装置内に含まれるものとして説明したが、これに限られず、任意の数のサーバ装置内に分かれて含まれていてもよい。例えば、健康管理装置３００内の各機能構成のうち、発行部３８０は、他の機能構成である取得部３５０、判定部３６０、及び算出部３７０と異なるサーバ装置（例えば、事業者サーバ４００）内に含まれてもよい。
【０１４５】
また、上実施形態では、健康管理装置３００は、被測定者の生体情報を、生体情報測定装置１００から取得するものとして説明したが、これに限られない。例えば、健康管理装置３００は、サービス事業者が被測定者から独自に取得した生体情報を、事業者サーバ４００から取得してもよい。この場合においても、健康管理装置３００は、事業者サーバ４００を介したＢ２Ｂ（Business to business）による生体情報のやり取りが行われているものの、被測定者に関する生体情報を取得していることに変わりはない。このため、健康管理装置３００は、当該取得した生体情報が目標値を達成している場合、目標値の達成に応じたインセンティブ値を算出し、当該インセンティブ値に応じたポイント又はクーポンを被測定者に対して発行してもよい。
【０１４６】
更に、上記実施形態では生体情報として血圧値又は体重を取り扱った場合を例にとって説明したが、これに限られない。他に例えば、脈拍や体温、血糖値、心電等のその他の生体情報に対し、本発明を適用してもよい。
【０１４７】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０１４８】
１００，１００Ａ，１００Ｂ…生体情報測定装置、
２００…被測定者端末、３００…健康管理装置、４００…事業者サーバ、
１１０，２１０，３１０，４１０…制御部、
１２０，２２０，３２０，４２０…記憶部、
１３０，２３０，３３０，４３０…通信部、
１４０，２４０…操作部、１５０，２５０…表示部、
１６１…体重センサ、１６２…身体インピーダンスセンサ、
１６３…血圧センサ、１６４…加速度センサ、１６５…温湿度センサ、
３４０，４４０…ドライブ、３４１，４４１…記憶媒体、
３２１…健康管理プログラム、３２２…目標管理情報、
３５０…取得部、３６０…判定部、３７０…算出部、３８０…発行部。
【図１】
2019003571.tif 000003
【図２】
2019003571.tif 000004
【図３】
2019003571.tif 000005
【図４】
2019003571.tif 000006
【図５】
2019003571.tif 000007
【図６】
2019003571.tif 000008
【図７】
2019003571.tif 000009
【図８】
2019003571.tif 000010
【図９】
2019003571.tif 000011
【図１０】
2019003571.tif 000012
【図１１】
2019003571.tif 000013
【図１２】
2019003571.tif 000014
【図１３】
2019003571.tif 000015
【図１４】
2019003571.tif 000016
【図１５】
2019003571.tif 000017
【図１６】
2019003571.tif 000018